(57)【要約】【課題】従来とほぼ同じ大きさでコスト増を少なくしながら受信可能範囲を広げたリモコン受信装置を提供することである。【解決手段】デジタルテレビ１０は、リモコンからの信号を受信する受信器２６を有するリモコン受信装置と、ディスプレイ２４と、ディスプレイ２４を収容する枠体３０とを備え、円柱状であり、その一端が受信器２６の底部に受信器２６の上下回動が可能なように取り付けられ、他端が回路基板３５に左右回動が可能なように取り付けられた支持部材３７と、受信器２６の前面から突出する棒状部３２ａと、棒状部３２ａの先端に設けられた摘部３２ｂとからなり、受信器２６を手動で回動させるためのレバー３２と、受信器２６の正面位置からの回動角度を検出する角度検出手段２７と、枠体３０の前面下部に設けられ、レバー３２を貫通させて操作可能にする十字型の溝３３とを備えた構成とする。【選択図】図３
2008227784.tif 000002
【特許請求の範囲】
【請求項１】
リモコン送信装置からの信号を受信する受信器を有するリモコン受信装置と、表示部と、該表示部を収容する枠体とを備えたテレビにおいて、
円柱状であり、その一端が前記受信器の底部に前記受信器の上下回動が可能なように取り付けられ、他端が回路基板に左右回動が可能なように取り付けられた支持部材と、
前記受信器の前面から突出するゴム製の棒状部と、該棒状部の先端に設けられた摘部とからなり、前記受信器を手動で回動させるためのレバーと、
前記受信器の正面位置からの回動角度を検出する角度検出手段と、
前記枠体の前面下部に設けられ、前記レバーを貫通させて操作可能にする十字型の溝とを備えたことを特徴とするテレビ。
【請求項２】
リモコン送信装置からの信号を受信する受信器を備えたリモコン受信装置において、
前記受信器を上下左右に回動可能に支持する支持部材を備えたことを特徴とするリモコン受信装置。
【請求項３】
前記支持部材は円柱状であり、その一端が前記受信器の底部に前記受信器の上下回動が可能なように取り付けられ、他端が回路基板に該支持部材の左右回動が可能なように取り付けられたことを特徴とする請求項２記載のリモコン受信装置。
【請求項４】
前記受信器を手動で回動させるためのレバーを備えたことを特徴とする請求項２又は３記載のリモコン受信装置。
【請求項５】
前記レバーは、前記受信器の前面に設けられることを特徴とする請求項２〜４の何れかに記載のリモコン受信装置。
【請求項６】
前記レバーは、前記受信器から突出する棒状部と、該棒状部の先端に設けられた摘部とからなることを特徴とする請求項２〜５の何れかに記載のリモコン受信装置。
【請求項７】
少なくとも前記棒状部が弾性体からなることを特徴とする請求項６記載のリモコン受信装置。
【請求項８】
前記受信器の基準位置からの回動角度を検出する角度検出手段を設けたことを特徴とする請求項２〜７の何れかに記載のリモコン受信装置。
【請求項９】
請求項２〜８の何れかに記載のリモコン受信装置と、表示部と、該表示部を収容する枠体とを備えたことを特徴とするテレビ。
【請求項１０】
前記枠体に、前記レバーを貫通させて操作可能にする溝を設けたことを特徴とする請求項９記載のテレビ。
【請求項１１】
前記溝は、十字型であることを特徴とする請求項１０記載のテレビ。
【発明の詳細な説明】
【技術分野】
【０００１】
本発明は、リモコン送信装置からの信号を受信する受信器を備えたリモコン受信装置及びそれを備えたテレビに関する。
【背景技術】
【０００２】
従来から、テレビやパソコンのディスプレイなどの表示部を左右又は上下に回転させる回転台が一体になった表示装置が知られている。そして、回転台の回転動作は手動又はリモコンなどの操作により自動で行われる。この回転台を用いれば、表示部を回転させれば表示部に設けられたリモコン受信装置も付随して回転することになるので、リモコンの操作可能範囲が広がる。
【０００３】
また、回転台を用いずにリモコン受信装置の構成を工夫することによって受信可能範囲を広げているものもある。例えば、特許文献１には、受光部が上下動自在及び左右回転自在であるリモコン受信装置が開示されている。
【０００４】
また特許文献２には、受光窓の中央の位置で垂直に入射する赤外線信号に対して受光素子が凹型の扇状となるように配置された遠隔操作装置が開示されている。
【０００５】
また特許文献３には、信号誘導部材を設けることによって受光角度の制約を受けることの少ないリモートコントロール用受信部を提供することが開示されている。
【特許文献１】実開平５−１５５９６号公報
【特許文献２】特開２０００２−２６２３７４号公報
【特許文献３】特開平１０−２１０５７８号公報
【発明の開示】
【発明が解決しようとする課題】
【０００６】
しかしながら、上記のように回転台を回転させることによってリモコンの受信可能範囲を広げる場合、表示部の向きを変えたくないときにはユーザがリモコンの受信可能範囲まで移動しなければならない。例えば、病院の待合室や食堂において天井付近の台上にテレビが載置してあることがよくある。この場合、日常の使用でテレビの向きは変えずにチャンネルを変えることが多々ある。チャンネルの切り換えにはリモコンを使用するが、テレビに対して下方からの操作になるため、リモコンをテレビに近づけなければ反応しないことがある。また、リモコンで操作しやすいようにテレビを斜め下向きに設置すると不安定になり危険である。
【０００７】
また、壁に掛けられたテレビでは従来の回転台を使用することができないので、側方からリモコンで操作した場合は反応しない。
【０００８】
そこで、特許文献１〜３のように、表示部を回転させずに受信可能範囲を広げることも考えられるが、特許文献１では、受光部が上下動はするが上下回転はできないため、上述のように表示装置を天井付近に設置した場合には受信可能範囲を広げることはできない。
【０００９】
また特許文献２や特許文献３では受信可能範囲は広がっているが、特許文献２では受光素子を複数用いたためであり、特許文献３では信号誘導部材を用いたためであり、それぞれ大きなスペースを必要とし、さらにコストが増大するという問題がある。
【００１０】
本発明は、従来とほぼ同じ大きさでコスト増を少なくしながら受信可能範囲を広げたリモコン受信装置を提供することを目的とする。またそのリモコン受信装置を備えたテレビを提供することも目的とする。
【課題を解決するための手段】
【００１１】
上記目的を達成するために本発明は、リモコン送信装置からの信号を受信する受信器を備えたリモコン受信装置において、前記受信器を上下左右に回動可能に支持する支持部材を備えたことを特徴とする。
【００１２】
この構成によれば、受信器を回動させた方向に受信可能範囲を広げることができる。
【００１３】
上記のリモコン受信装置において、前記支持部材は円柱状であり、その一端が前記受信器の底部に前記受信器の上下回動が可能なように取り付けられ、他端が回路基板に該支持部材の左右回動が可能なように取り付けられる構成とすれば、従来とほぼ同じ大きさでコスト増を少なくすることができる。
【００１４】
また上記のリモコン受信装置において、前記受信器を手動で回動させるためのレバーを備えれば、簡単に受信器を回動させることができる。
【００１５】
また、前記レバーは、前記受信器の前面に設ければ使い勝手がよい。
【００１６】
また、前記レバーは、前記受信器から突出する棒状部と、該棒状部の先端に設けられた摘部とからなる構成とすれば、摘みやすく操作しやすい。
【００１７】
また、少なくとも前記棒状部を弾性体とすれば、操作性が向上する。
【００１８】
また上記のリモコン受信装置において、前記受信器の基準位置からの回動角度を検出する角度検出手段を設ければ、受信器の回動角度を表示部などに出力することができ、ユーザは一目で受信器の角度を知ることができる。
【００１９】
また本発明のテレビは、上記のリモコン受信装置と、表示部と、該表示部を収容する枠体とを備えたことを特徴とする。
【００２０】
上記のテレビにおいて、前記枠体に、前記レバーを貫通させて操作可能にする溝を設ければ、溝に沿って容易にレバーを操作できる。
【００２１】
また、前記溝を十字型にすれば、上下左右方向に正確にレバーを操作できる。
【００２２】
本発明を具体化すると、リモコン送信装置からの信号を受信する受信器を有するリモコン受信装置と、表示部と、該表示部を収容する枠体とを備えたテレビにおいて、円柱状であり、その一端が前記受信器の底部に前記受信器の上下回動が可能なように取り付けられ、他端が回路基板に左右回動が可能なように取り付けられた支持部材と、前記受信器の前面から突出するゴム製の棒状部と、該棒状部の先端に設けられた摘部とからなり、前記受信器を手動で回動させるためのレバーと、前記受信器の正面位置からの回動角度を検出する角度検出手段と、前記枠体の前面下部に設けられ、前記レバーを貫通させて操作可能にする十字型の溝とを備えた構成となる。
【発明の効果】
【００２３】
本発明によると、受信器を上下左右に回動可能に支持する支持部材を用いることにより、表示部を動かすことなく受信器を回動させることができ、従来とほぼ同じ大きさでコスト増を少なくしながら受信可能範囲を広げることができる。したがって、例えばテレビが天井付近の台上に載置してある場合や壁に掛けられている場合でも、テレビの下方や側方からリモコンで操作可能となり、使い勝手がよい。
【発明を実施するための最良の形態】
【００２４】
以下、リモコン受信装置を備えたテレビの一例として、デジタルテレビを用いて説明する。図１は、デジタルテレビの構成を示すブロック図である。１１はユーザが電源のオン／オフや選局等の各種操作を行う操作部である。１２はアンテナ（不図示）で受信したデジタル放送波から所望のチャンネルの放送を選局するチューナ部、１３はチューナ部１２からの出力波をデジタル信号に変換するＡ／Ｄ変換部、１４はその出力をデータに復調する復調部である。
【００２５】
また、１５は復調部１４で復調されたデータを種別毎に分離して出力するＴＳデマルチプレクサであり、１６はその分離されたデータを記憶するＲＡＭ、１７はデジタルテレビ１０の動作に必要な情報を記憶しているＲＯＭである。ＲＯＭ１７には、例えば、後述する角度検出手段で検出した角度をＯＳＤ（On Screen Display）表示するプログラムが記憶されている。１８はＲＡＭ１６に記憶されたデータ中の音声データをアナログ化するＤ／Ａ変換部であり、１９はＤ／Ａ変換部１８によりアナログ化された音声データを出力する音声信号出力部、２０は音声を放音するスピーカである。
【００２６】
また、２１はＲＡＭ１６に記憶されたデータ中の映像データを圧縮前の映像データに復号化するＭＰＥＧ（Motion Picture Experts Group）２デコード部であり、２２はその復号化された映像データをＮＴＳＣ復号テレビジョン信号に復号化するＮＴＳＣエンコード部、２３はそのＮＴＳＣ復号テレビジョン信号を出力する映像信号出力部、２４は映像を表示するディスプレイである。
【００２７】
また、２６はリモコンからの信号を受信する受信器であり、赤外線を用いるリモコンの場合は受信器に赤外線受光部を有している。２７は受信器２６の基準位置（例えば正面位置）からの回動角度を検出する角度検出手段である。角度検出手段２７としては、光学式センサなどを用いることができる。角度検出手段２７の配置には特に限定はなく、例えば受信器２６に内蔵してもよい。
【００２８】
そして、２８はデジタルテレビ１０の動作を制御する制御部としてのＭＰＵである。例えば、ＭＰＵ２８は、角度検出手段２７で検出した角度をＯＳＤ表示する制御を行う。
【００２９】
次に、デジタルテレビ１０が放送を受信するときの動作について説明する。まず、アンテナがデジタル放送波を受信し、操作部１１又はリモコンによって選局操作されると、チューナ部１２は受信するトランスポンダの切換を行う。受信したデジタル放送波はＡ／Ｄ変換部１３によりデジタル化され、復調部１４によりデータが復調される。
【００３０】
もともと、デジタル信号は送信側からＴＳ（Transport Stream）パケットの形で伝送されてくる。ＴＳパケットは映像データ、音声データ等を含む制御データからなり、この制御データをＴＳデマルチプレクサ１６により、分離して出力し、ＲＡＭ１７に記憶する。そして、ＲＡＭ１７から読み出した音声データをＤ／Ａ変換部１８によりアナログ化し、音声信号出力部１９を介してスピーカ２０から音声を放音する。
【００３１】
また、ＲＡＭ１６から読み出した映像データをＭＰＥＧ２デコード部２１により圧縮前の映像データに復号化し、ＮＴＳＣエンコード部２２によりＮＴＳＣ復号テレビジョン信号に復号化し、映像信号出力部２３を介してディスプレイ２４に映像を表示する。
【００３２】
このとき、ユーザがメニュー画面で受信器２６の角度表示をＯＮに設定していると、ＭＰＵ２８は角度検出手段２７で検出した角度をＯＳＤ表示させるように制御する。
【００３３】
次に、受信器２６周辺の構成について詳しく説明する。図２はデジタルテレビ１０の正面図であり、図３は図２の状態の受信器２６周辺の側断面図である。図２に示すように、３０はディスプレイ２４を収容する樹脂製の枠体である。３１は枠体３０に形成されたリモコン信号を通すための開口に嵌め込まれた半透明の樹脂などからなる透過部材である。透過部材３１及び開口は様々な角度からのリモコン信号を通すのに必要な十分な大きさを有していれば、その形状には特に限定はない。
【００３４】
３２は受信器２６を手動で回動させるためのレバーであり、この構成については後述する。３３はレバー３２を操作可能にする十字型の溝であり、枠体３０を貫通している。なお、溝３３の形状には特に限定はなく、例えば万字型にすればレバー３２を上下方向と左右方向とを組み合わせて動かすことができる。
【００３５】
図３に示すように、３４は箱体の受信器２６に内蔵された赤外線受光部である。３５は回路基板である。３６a〜３６ｃは回路基板３５と受信器２６とを接続するワイヤ線であり、受信した信号を伝達したり、受信器２６の角度を検出するために用いたりする。ワイヤ線３６a〜３６ｃは受信器２６が回動した際に千切れることがないよう十分な長さとする。
【００３６】
３７は受信器２６を上下左右に回動可能に支持する支持部材である。支持部材３７は円柱状であり、その一端が受信器２６の底部に受信器２６の上下回動が可能なように取り付けられ、他端が回路基板３５に左右回動が可能なように取り付けられている。支持部材３７と受信器２６との取り付けには、例えばヒンジ機構を採用することができる。一方、支持部材３７と回路基板３５との取り付けには、例えば図３に示すように、回路基板３７に形成された穴に支持部材３７を通し、回路基板の上下部分の支持部材３７をＥリング３８、３８などで係止すればよい。
【００３７】
レバー３２は、受信器２６の前面から突出する棒状部３２ａと、棒状部３２ａの先端に設けられた摘部３２ｂとからなる。棒状部３２ａは、溝３３より細く、操作性を良くする観点から弾性体（例えばゴムやバネ）を用いることが好ましいが、弾性を有さない樹脂を用いても構わない。摘部３２ｂは、溝３３から抜けにくいように溝３３の幅よりも大きいことが好ましく、また、棒状部３２ａと同材料で構成すれば一体成形できるので好ましいが、別材料を用いても構わない。
【００３８】
次に、受信器２６の回動動作について説明する。図４は受信器２６を下方向に回動させた状態のデジタルテレビ１０の正面図であり、図５は図４の状態の受信器２６周辺の側断面図である。
【００３９】
受信器２６が正面を向いている状態（図２の状態）から斜め下向きの状態（図４の状態）に回動させるには、ユーザは摘部３２ｂを持ってレバー３２を溝３３に沿って下方向に動かせばよい。このとき、支持部材３７と受信器２６との取り付け部分が回動して受信器２６が斜め下向きになる。そして、メニュー画面で受信器２６の角度表示がＯＮに設定されていると、ＭＰＵ２８は角度検出手段２７で検出した角度をＯＳＤ表示させる。図４に示すＯＳＤ表示の画像４０は、受信器２６が下方向に１５°回動したことを表している。
【００４０】
このように、ディスプレイ２４を動かすことなく受信器２６を回動させることによって赤外線受光部３４の角度が変わるので、回動させた方向に受信可能範囲を広げることができる。したがって、デジタルテレビ１０が、天井付近の台上に載置してある場合や壁に掛けられている場合でも、デジタルテレビ１０の下方や側方からリモコンで操作可能となり、使い勝手がよい。
【００４１】
なお、上記の実施形態では受信器２６を手動で回動させる構成としたが、受信器２６をモータで自動で回動させるようにしてもよい。この場合、リモコンに受信器２６を回動させるキーを設ければよく、レバー３２や溝３３はなくてもよい。
【産業上の利用可能性】
【００４２】
本発明のリモコン受信装置は、上述したテレビをはじめ、ビデオ装置やＤＶＤ装置やＨＤＤ装置などの映像音声記録再生装置、ＣＤプレーヤなどの音声再生装置等、各種ＡＶ機器に搭載することができる。
【図面の簡単な説明】
【００４３】
【図１】デジタルテレビの構成を示すブロック図である。
【図２】デジタルテレビの正面図である。
【図３】図２の状態の受信器周辺の側断面図である。
【図４】受信器を下方向に回動させた状態のデジタルテレビの正面図である。
【図５】図４の状態の受信器周辺の側断面図である。
【符号の説明】
【００４４】
１０    デジタルテレビ（テレビ）
２４    ディスプレイ（表示部）
２６    受信器
２７    角度検出手段
３０    枠体
３２    レバー
３２ａ    棒状部
３２ｂ    摘部
３３    溝
３７    支持部材
【図１】
2008227784.tif 000003
【図２】
2008227784.tif 000004
【図３】
2008227784.tif 000005
【図４】
2008227784.tif 000006
【図５】
2008227784.tif 000007